(57)【要約】【課題】リムーバブルメディアを扱う撮像装置において、他機器によって書き込まれたデータを確認し、再生が可能な場合は、撮像装置で再生可能な状態に管理できるようにする。【解決手段】カメラ一体型記録再生装置で記録媒体として使用されているリムーバブルメディアにおいて、外部のＰＣ等でコンテンツデータを書き込み、それをカメラ一体型記録再生装置のスロットに挿入した際、カメラ一体型記録再生装置のハウスキーピング機能により、特定の条件を満たす任意フォルダ内のコンテンツデータに関しては、再生可否を調べる。その結果、再生可能と判断したコンテンツデータに関しては、当該カメラ一体型記録再生装置のコンテンツ管理ファイル（例えばメディアプロファイル）に登録し、カメラ一体型記録再生装置でサムネイル表示や再生等を行う。【選択図】図９
2008090915.tif 000002
【特許請求の範囲】
【請求項１】
カメラ部で撮像されて着脱可能な記録媒体に記録されているコンテンツデータを管理する記録再生装置において、
前記コンテンツデータが記録されるときに、前記コンテンツデータを再生するために必要な再生情報を取得する情報取得手段と、
前記情報取得手段により取得された前記再生情報とともに、前記コンテンツデータを一意的に識別するための識別子が記述され、前記コンテンツデータを個別に管理する第１の管理ファイルを生成する生成手段と、
前記情報取得手段により取得された前記再生情報と、前記コンテンツデータの前記識別子および前記コンテンツデータの所在を示す情報により構成される前記コンテンツデータの管理情報とを、前記コンテンツデータを一括管理する第２の管理ファイルに登録する登録手段と
前記記録媒体が当該記録再生装置から取り外されて再度装着されたとき又は前記記録再生装置の電源が投入されたときに、前記記録媒体に記録されている前記第２の管理ファイルの管理情報を読み出す読出し手段と、
前記読出し手段により読み出された前記第２の管理ファイルの管理情報が展開されるメモリと、
前記メモリに展開された前記第２の管理ファイルの管理情報と、前記記録媒体に記録されているコンテンツデータを比較する比較手段と、
前記比較手段による比較の結果、前記記録媒体に記録されている前記第２の管理ファイルの管理情報と前記コンテンツデータが一致しないときは、前記メモリに展開されている前記第２の管理ファイルの管理情報を最新の状態に更新する更新手段と、
を備えることを特徴とする記録再生装置。
【請求項２】
前記比較手段は、前記記録再生装置に装着された前記記録媒体の最終更新者情報が当該記録再生装置である場合、前記比較処理を行わない
ことを特徴とする請求項１に記載の記録再生装置。
【請求項３】
前記比較手段による比較の結果、前記メモリに展開された第２の管理ファイルの管理情報に、前記記録媒体に記録されているコンテンツデータの情報が記述されていない場合、前記更新手段は当該コンテンツデータの情報を前記第２の管理ファイルの管理情報に記述する
ことを特徴とする請求項２に記載の記録再生装置。
【請求項４】
前記比較手段による比較の結果、前記メモリに展開された第２の管理ファイルの管理情報に、前記記録媒体に存在しないコンテンツデータの情報が記述されている場合、前記更新手段は前記第２の管理ファイルの管理情報から当該コンテンツデータの情報を削除する
ことを特徴とする請求項２に記載の記録再生装置。
【請求項５】
前記比較手段は、前記記録媒体のファイルシステムのルートディレクトリの下位層に位置しコンテンツデータディレクトリを下位層に備えるディレクトリの直下、あるいは、前記コンテンツデータディレクトリを下位層に備える前記ディレクトリの下位層に設けられたコンテンツディレクトリ下に配置されているコンテンツデータと、前記メモリに展開された前記第２の管理ファイルの管理情報とを比較する
ことを特徴とする請求項２に記載の記録再生装置。
【請求項６】
前記更新手段によって前記メモリに展開されている第２の管理ファイルの管理情報が更新された後、更新された第２の管理ファイルの管理情報を前記記録媒体に記録する記録手段を備える
ことを特徴とする請求項２に記載の記録再生装置。
【請求項７】
コンテンツデータを再生するために必要な再生情報とともに、前記コンテンツデータを一意的に識別するための識別子が記述され、前記コンテンツデータを個別に管理する第１の管理ファイルと、
前記コンテンツデータの再生情報と、前記コンテンツデータの前記識別子および前記コンテンツデータの所在を示す情報により構成される前記コンテンツデータの管理情報とを含み、前記コンテンツデータを一括管理する第２の管理ファイルを利用して、
カメラ部で撮像されて着脱可能な記録媒体に記録されているコンテンツデータを管理するコンテンツ管理方法において、
前記記録媒体が当該記録再生装置から取り外されて再度装着されたとき又は前記記録再生装置の電源が投入されたときに、前記記録媒体に記録されている前記第２の管理ファイルの管理情報を読み出す読出しステップと、
前記読出しステップの処理により読み出された前記第２の管理ファイルの管理情報をメモリに展開する展開ステップと、
前記メモリに展開された前記第２の管理ファイルの管理情報と、前記記録媒体に記録されているコンテンツデータを比較する比較ステップと、
前記比較ステップによる比較の結果、前記記録媒体に記録されている前記第２の管理ファイルの管理情報と前記コンテンツデータが一致しないときは、前記メモリに展開されている前記第２の管理ファイルの管理情報を最新の状態に更新する更新ステップと、
を有することを特徴とするコンテンツ管理方法。
【発明の詳細な説明】
【技術分野】
【０００１】
本発明は、記録再生装置及びコンテンツ管理方法に関し、例えば、カメラ一体型記録再生装置等において他機器によって書き込まれたコンテンツファイルの再生を行うのに好適な記録再生装置及びコンテンツ管理方法に係わる。
【背景技術】
【０００２】
近年、データの書き込みや消去を繰り返し行うことができるＣＤ−ＲＷ（Ｃｏｍｐａｃｔ Ｄｉｓｃ−ＲｅＷｒｉｔａｂｌｅ）、ＤＶＤ−ＲＷ（Ｄｉｇｉｔａｌ Ｖｅｒｓａｔｉｌｅ Ｄｉｓｃ−ＲｅＷｒｉｔａｂｌｅ）などのディスク状の記録媒体が、その低価格化に伴い普及しつつある。
【０００３】
これらのディスク状の記録媒体においては、ユニバーサルディスクフォーマット（ＵＤＦ;Ｕｎｉｖｅｒｓａｌ Ｄｉｓｃ Ｆｏｒｍａｔ）に準拠してデータが記録されている。ＵＤＦに基づいて記録されたディスク状の記録媒体は、所定のデータへのランダムアクセスが可能であり、画像データや音声データなどのデータがコンテンツとして書き込まれたり、書き込まれたコンテンツが消去されたりする。このようにして、記録媒体に書き込まれたコンテンツの情報は、コンテンツ管理ファイル内のコンテンツ管理テーブルなどに一括管理されていることが多い。
【０００４】
コンテンツ管理テーブルには、例えば、コンテンツが記録されている位置を示す「コンテンツ」へのポインタ、記録日時、変更日時、またはプロテクトの情報などからなる属性情報、コンテンツのサムネイル（画像）、および、コンテンツのタイトル名などのテキスト情報などが管理されている。
【０００５】
したがって、記録媒体に記録されているコンテンツを再生する場合、コンテンツ管理テーブルの「コンテンツ」へのポインタが示す位置に基づいて、コンテンツのデータにアクセスし、データそのもの、またはデータの一部からコンテンツを再生するための再生情報（例えば、コンテンツを構成するデータのコーデックの種類、データの解像度など）を取得し、取得した再生情報に基づいて、データを再生していた。
【０００６】
例えば光ディスクドライブを搭載し、光ディスクに記録されているデータをスムーズに再生することができる情報処理装置（例えば撮像装置）が、本出願人(共同出願人)から提案されている（例えば、特許文献１を参照。）。
【０００７】
また、半導体メモリなどの記録媒体からなるリムーバブルメディアでは、ＦＡＴ（Ｆｉｌｅ Ａｌｌｏｃａｔｉｏｎ Ｔａｂｌｅｓ）ファイルシステムが採用されているものがある。ＦＡＴファイルシステムは、パーソナルコンピュータ（ＰＣ；Ｐｅｒｓｏｎａｌ Ｃｏｍｐｕｔｅｒ）等で読み書きするデータを管理するためのファイルシステムの一例である。このＦＡＴファイルシステムに準拠したリムーバブルメディアのドライブは上記ディスク状の記録媒体と比較して機器への組み込みが容易であり、そのリムーバブルメディアのドライバさえあれば、ＰＣ等により簡単にデータの書き込みが行える。
【０００８】
【特許文献１】特開２００５−４８５０号公報
【発明の開示】
【発明が解決しようとする課題】
【０００９】
ところで、特許文献１に記載されたような光ディスクは、記録されたデータを読み取るのに専用の光ピックアップ装置を用いているので、光ディスクドライブを搭載している撮像装置、又は専用ベアドライブでしかデータの書き込みが行えない。そのため、実際に光ディスクにデータを書き込む前に、その機器が扱えるファイルか否かをチェックする機構を組み込むことで、取扱い可能なファイルのみを管理することができた。
【００１０】
一方、ＦＡＴファイルシステムで管理されているリムーバブルメディアでは、上述したように、そのリムーバブルメディアのドライブがあれば、ＰＣ等により簡単にデータの書き込みができる。
【００１１】
しかし、利用者が撮像装置で撮影した素材、すなわち画像データが記録されたリムーバブルメディアをＰＣのスロットに挿して当該ＰＣで編集された編集結果等の画像データをリムーバブルメディアに書き込み、そのリムーバブルメディアを撮像装置に戻して画像データを再生し確認したいという要求（ワークフロー）を実現したいのだが、その具体的方法はこれまで提案されていなかった。
【００１２】
本発明は斯かる点に鑑みてなされたものであり、リムーバブルメディアを扱う撮像装置において、他機器によって書き込まれたデータを確認し、再生が可能な場合は、撮像装置で再生可能な状態に管理できるようにすることを目的とする。
【課題を解決するための手段】
【００１３】
上記課題を解決するため、本発明は、コンテンツデータを再生するために必要な再生情報とともに、前記コンテンツデータを一意的に識別するための識別子が記述され、コンテンツデータを個別に管理する第１の管理ファイルと、コンテンツデータの再生情報と、コンテンツデータの識別子およびコンテンツデータの所在を示す情報により構成されるコンテンツデータの管理情報とを含み、コンテンツデータを一括管理する第２の管理ファイルを利用して、カメラ部で撮像されて着脱可能な記録媒体に記録されているコンテンツデータを管理する場合に、記録媒体が当該記録再生装置から取り外されて再度装着されたとき又は前記記録再生装置の電源が投入されたときに、記録媒体に記録されている第２の管理ファイルの管理情報を読み出し、その読み出された第２の管理ファイルの管理情報をメモリに展開する。そして、メモリに展開された第２の管理ファイルの管理情報と、記録媒体に記録されているコンテンツデータを比較する。その比較の結果、記録媒体に記録されている第２の管理ファイルの管理情報とコンテンツデータが一致しないときは、メモリに展開されている第２の管理ファイルの管理情報を最新の状態に更新する。
【００１４】
上記構成によれば、記録媒体のコンテンツ管理ファイルの内容と実際のファイル構成を一致させることができる。したがって、利用者が記録再生装置以外の機器で任意に記録媒体に書き込んだコンテンツデータを、当該記録再生装置において、再生可能なものに関しては自動的にコンテンツとして認識し、再生することができるようになる。
【発明の効果】
【００１５】
本発明によれば、着脱可能な記録媒体を扱う記録再生装置（例えば、ビデオカメラ等のカメラ一体型記録再生装置等）おいて、他機器によって書き込まれたデータを確認し、再生が可能な場合は、記録再生装置で再生可能な状態に管理できるようになる。これにより、例えば、フォーマット違反の可能性があり、そのまま使用することのできない記録媒体を使用可能な状態とすることができる。
【発明を実施するための最良の形態】
【００１６】
以下、本発明の一実施の形態を、図１〜図１３を参照して説明する。
図１は、本実施の形態例のカメラ一体型記録再生装置が適用されるシステム構成例を示している。
【００１７】
図１において、映像プログラム制作支援システム８は、例えば、テレビジョン信号を放送するテレビジョン放送局や、ビデオや映画等の映像コンテンツの制作会社等において設けられるシステムであり、テレビジョン番組や映画等の映像作品である映像プログラムを制作するためのシステムである。この映像プログラム制作支援システム８は、映像プログラムの制作を分担する複数の部署間で、電子ファイル形式で構成される、映像プログラムに付加されたメタデータ等を一貫して利用できるようにし、映像プログラムを効率よく作成するためのシステムである。
【００１８】
映像プログラム制作支援システム８は、図１に示されるように、映像プログラムの企画を行う企画用端末装置６、企画用端末装置６が接続されたネットワーク５、ネットワーク５に接続された取材用端末装置４、取材用端末装置４を構成するカメラ一体型記録再生装置（撮像装置）１およびフィールドＰＣ／ＰＤＡ（Ｐｅｒｓｏｎａｌ Ｃｏｍｐｕｔｅｒ／Ｐｅｒｓｏｎａｌ Ｄｉｇｉｔａｌ Ａｓｓｉｓｔａｎｔｓ）２（以下、フィールドＰＣ２と称する）、同様に、ネットワーク５に接続される編集用端末装置７、並びに、記録媒体であるリムーバブルメディア３により構成される。
【００１９】
企画用端末装置６は、例えば、パーソナルコンピュータ等の情報処理装置およびその周辺装置等により構成され、映像プログラムの企画が行われる企画構成部署等に設けられる。この企画構成部署は、映像プログラムの制作全体を統括する部署であり、制作する映像プログラムの企画および構想を行って、映像プログラムのシナリオ（筋書き）を作成するとともに、後述する取材部署および編集部署等の他部署に制作作業内容を指示する部署である。企画用端末装置６は、例えば、映像プログラムのシナリオに対応する政策指示情報等を含む、電子ファイル形式の構成表メタデータを映像プログラム毎に作成する等の処理を行う。企画用端末装置６は、生成した構成表メタデータを、ネットワーク５を介して取材用端末装置４等に供給する。これにより、企画構成部署は、取材部署等に対して、取材または撮影すべき場面や内容の指示を行う。
【００２０】
取材用端末装置４は、取材を行う取材部署によって用いられる端末装置群であり、例えば、カメラ一体型記録再生装置１とフィールドＰＣ２により構成される。この取材部署は、例えば、企画構成部署からの制作指示やシナリオに従って、制作現場で実際に取材を行う部署であり、映像プログラムを構成する各場面の映像を撮影するとともに、撮影状況を取材する部署である。
【００２１】
カメラ一体型記録再生装置１は、例えば、カムコーダ（登録商標）等のビデオカメラであり、放送用のニュース番組の取材や、スポーツ等の試合の模様、映画などの映像コンテンツの撮影に使用される装置である。このカメラ一体型記録再生装置１は、ネットワーク５に接続されており、例えば、上述した企画用端末装置６から、ネットワーク５を介して構成表メタデータを取得する。そして、カメラ一体型記録再生装置１は、その取得した構成表メタデータを所定の表示部等に表示し、カメラマン等の撮影スタッフに撮影すべき内容を認識させる。また、カメラ一体型記録再生装置１は、撮影スタッフに操作され、取得した構成表メタデータの制作指示情報に基づいて、映像プログラムを構成する各場面の撮影を行う。
【００２２】
カメラ一体型記録再生装置１は、撮影により得られた画像データや音声データをリムーバブルメディア３等の記録媒体に記録する。このとき、カメラ一体型記録再生装置１は、１回の撮像処理を示す単位であるクリップに対応する画像データや音声データ等を含む映像コンテンツに関するデータを、まとめて１つのクリップとしてリムーバブルメディア３に記録し、管理する。
【００２３】
また、カメラ一体型記録再生装置１は、例えば、撮像により得られた画像データであるオリジナルの画像データだけでなく、例えば、ローレゾリューション（ｌｏｗ ｒｅｓｏｌｕｔｉｏｎ：低解像度）画像データ（以下、ローレゾデータと称する）も、クリップに含めてリムーバブルメディア３に記録し、管理することができる。オリジナルの画像データは、データ量が大きいが、高画質な画像データであるので、映像プログラムの完成品に用いられる。一方、ローレゾデータは、オリジナルの画像データから各フレームの画素数が間引かれること等によって生成された、画素数の少ないフレームの画像に対応する画像データである。このローレゾデータは、オリジナルの画像データと比較して低画質であるが、データ量が小さいので、送信や再生など処理の負荷が軽く、主に粗編集処理等に利用される。また、このローレゾデータは、サムネイル画像などに用いることができる。
【００２４】
カメラ一体型記録再生装置１により、リムーバブルメディア３に記録された複数のクリップは、複数のクリップを一括管理するメディアプロファイル（図５を参照して後述する）と、クリップを構成する画像データや音声データ等をクリップ毎に管理するクリップインフォメーションファイル（図６を参照して後述する）により管理される。
【００２５】
カメラ一体型記録再生装置１は、メディアプロファイルまたはクリップインフォメーションファイルに基づいて、このリムーバブルメディア３に記録されたクリップの画像データなどを所定の表示部等に表示させ、制作指示情報に応じた撮影ができたか否かを撮影スタッフに確認させる。また、カメラ一体型記録再生装置１は、メディアプロファイルまたはクリップインフォメーションファイルを参照して、リムーバブルメディア３に記録された複数のクリップの画像データを連続して、あたかもテープに記録された画像データを連続して再生するかのように、所定の表示部等に表示させ、撮影された複数の場面を連続して撮影スタッフに確認させることもできる。
【００２６】
なお、クリップは、１回の撮像処理だけでなく、その撮像処理の撮像開始から撮像終了までの時間を示す単位でもあり、その撮像処理により得られた各種のデータの長さを示す単位でもあり、その撮像処理により得られた各種のデータのデータ量を示す単位でもある。さらに、クリップは、その各種のデータの集合体そのものも示す場合もある。
【００２７】
カメラ一体型記録再生装置１により、映像コンテンツとして、複数のクリップ（画像データや音声データ等）が記録されたリムーバブルメディア３は、例えば、後述する編集部署やフィールドＰＣ２等に搬送され、利用される。しかしながら、リムーバブルメディア３の搬送にはある程度の時間を要するため、カメラ一体型記録再生装置１は、ネットワーク５を介して、企画用端末装置６、フィールドＰＣ２、または編集用端末装置７等に、画像データを供給できるようにしてもよい。その場合、カメラ一体型記録再生装置１は、転送時間を短縮するために（転送処理の負荷を軽減するために）、撮像により得られた画像データの代わりに、その画像データに対応する、データ量の小さいローレゾデータを供給するようにするのが望ましい。
【００２８】
なお、カメラ一体型記録再生装置１によるローレゾデータの転送処理は、どのようなタイミングで行うようにしてもよく、撮像処理と並行して行うようにしてもよいし、撮像処理の終了後に一括して行うようにしてもよい。
【００２９】
このように、リムーバブルメディア３の搬送に先駆けて、ローレゾデータを転送することにより、編集部署は、搬送されたリムーバブルメディア３が到着していなくても、比較的早い段階で（例えば、撮像処理と同時並行して）、編集作業を行うことができるので、映像プログラムの制作効率を高めることができる。なお、上述のように、ローレゾデータがネットワーク５を介して伝送される場合、カメラ一体型記録再生装置１は、たとえば、オリジナルの画像データや音声データのみをリムーバブルメディア３に記録するようにしてもよい（ローレゾデータをリムーバブルメディア３に記録しないようにしてもよい）。
【００３０】
なお、カメラ一体型記録再生装置１が映像コンテンツ等を記録する記録媒体としては、上述したリムーバブルメディア３の例に限定されず、ＦＡＴファイルシステム等のＰＣで書き込み可能なファイルシステムを適用するものであれば、例えば、フラッシュメモリ等の半導体メモリの他、どのような記録媒体であってもよい。
【００３１】
フィールドＰＣ２は、例えば、ノート型パーソナルコンピュータやＰＤＡ等の携帯可能な情報処理装置および周辺装置などで構成される。このフィールドＰＣ２は、カメラ一体型記録再生装置１と各種の有線または無線回線等により接続されており、例えば、構成表メタデータや映像コンテンツなどをカメラ一体型記録再生装置１と共有することができる。
【００３２】
このフィールドＰＣ２は、例えば、ネットワーク５を介して、企画用端末装置６から構成表メタデータを取得したり、カメラ一体型記録再生装置１から構成表メタデータを取得したりする。フィールドＰＣ２は、取得した構成表メタデータを所定の表示部に表示し、取材部署担当者に取材、撮影すべき内容を認識させる。
【００３３】
さらに、フィールドＰＣ２は、ユーザである取材部署担当者の入力に基づいて、取材・撮影状況に関する情報である撮影状況情報を生成し、生成した撮影状況情報を構成表メタデータ内の該当欄に追加する。この撮影状況情報は、例えば、テイクごとや取材場所ごとに多様な観点で記載されたテキストデータ等であり、後段の編集処理時に有用となる情報である。このように、フィールドＰＣ２は、撮影状況情報を書き込むことにより、構成表メタデータを編集する。また、フィールドＰＣ２は、撮影状況情報をメタデータとしてカメラ一体型記録再生装置１に供給し、カメラ一体型記録再生装置１において得られた画像データや音声データに付加させる。
【００３４】
編集用端末装置７は、例えば、パーソナルコンピュータ等の情報処理装置および周辺装置により構成され、映像コンテンツの編集処理を行う編集部署に設けられる。編集部署は、企画構成部署による制作指示やシナリオ、取材部署における取材状況を反映した構成表メタデータ等に基づいて、カメラ一体型記録再生装置１により得られた画像データや音声データを編集し、映像プログラムを完成させる部署である。
【００３５】
編集用端末装置７は、例えば、カメラ一体型記録再生装置１から、ネットワーク５を介して、構成表メタデータやローレゾデータを取得する。また、編集用端末装置７は、カメラ一体型記録再生装置１においてクリップ（画像データや音声データ）が記録されたリムーバブルメディア３より、オリジナルの画像データや音声データを取得する。さらに、編集用端末装置７は、企画用端末装置６またはフィールドＰＣ２等より、ネットワーク５を介して、直接制作指示（編集に関する指示）を取得することも可能である。
【００３６】
編集用端末装置７は、以上のように取得した構成表メタデータに基づいて、取得した映像コンテンツを好適に再生して表示する。例えば、編集用端末装置７は、ユーザに操作され、ネットワーク５を介して取得したローレゾデータや、リムーバブルメディア３に記録されているオリジナルの画像データや音声データを、シナリオに従った順序で連続的に表示したり、リムーバブルメディア３に記録されているすべてのクリップのオリジナルの画像データや音声データを連続的に表示したり、所望のクリップの画像データのみを表示したりする。なお、リムーバブルメディア３に記録されているオリジナルの画像データを再生する場合、編集用端末装置７は、ディスク装置等を利用して、リムーバブルメディア３に記録されているデータを読み出したり、リムーバブルメディア３にデータを書き込んだりする。また、その際には、リムーバブルメディア３に記録されているデータを管理するメディアプロファイルまたはクリップインフォメーションファイルが参照される。
【００３７】
また、編集用端末装置７は、例えば、構成表メタデータに基づいて必要な画像データ等を好適な順序で再生し、表示するだけでなく、取材により得られた画像データ等の編集処理を行う。この編集処理としては、粗編集処理と本編集処理がある。
【００３８】
粗編集処理は、画像データや音声データに対する簡易的な編集処理である。例えば、編集用端末装置７は、粗編集処理において、例えば、クリップを複数取得した場合に、それらのクリップの中から、本編集で使用すべきクリップを選択し、選択されたクリップのデータの中から、さらに必要な映像部分を選択（Ｌｏｇｇｉｎｇ）し、その選択された映像部分に対応する編集開始位置（Ｉｎ点）および編集終了位置（Ｏｕｔ点）を例えば、タイムコード等を利用して設定し、上述したクリップのデータの中から、対応する部分を抽出（Ｉｎｇｅｓｔｉｎｇ）する。
【００３９】
本編集処理は、粗編集処理が施された各クリップを構成する画像データを繋ぎ合わせ、その画像データに対して、最終的な画質調整等を行い、番組などで放送するためのデータである完全パッケージデータを作成する処理である。
【００４０】
さらに、編集用端末装置７は、例えば、ネットワーク５を介して、または、他の記録媒体などから取得された画像データや音声データを、カメラ一体型記録再生装置１と同様に、まとめて１つのクリップとしてリムーバブルメディア３に記録することもできる。
【００４１】
なお、上述した企画用端末装置６、カメラ一体型記録再生装置１、フィールドＰＣ２、編集用端末装置７等の各装置は、それぞれ、複数台により構成されるようにしてもよい。例えば、複数台のカメラ一体型記録再生装置１において得られた画像データ等を、１台の編集用端末装置７がリムーバブルメディア３やネットワーク５を介して取得し、そのデータに対して編集処理を行うようにしてもよいし、１台のカメラ一体型記録再生装置１より供給されたデータが、複数台の編集用端末装置７により編集されるようにしてもよい。
【００４２】
逆に、上述した企画用端末装置６、カメラ一体型記録再生装置１、フィールドＰＣ２、および編集用端末装置７等の各装置は、それぞれ、別体として構成されるように説明したが、これに限らず、各装置の機能の一部または全部が互いに一体化して構成されるようにしてもよい。
【００４３】
また、映像プログラム制作支援システム８は、例えば、上述した企画用端末装置６、カメラ一体型記録再生装置１、フィールドＰＣ２、および編集用端末装置７とは別に、ネットワーク５に接続されたセンタサーバ（図示せず）を設け、企画用端末装置６、カメラ一体型記録再生装置１、フィールドＰＣ２、および編集用端末装置７等をクライアントとした、クライアント／サーバ（Ｃｌｉｅｎｔ／Ｓｅｒｖｅｒ）システムとして構成するようにしてもよい。
【００４４】
図２は、図１のカメラ一体型記録再生装置１の詳細な構成例を示している。図２において、カメラ一体型記録再生装置１のＣＰＵ（Ｃｅｎｔｒａｌ Ｐｒｏｃｅｓｓｉｎｇ Ｕｎｉｔ）１１は、ＲＯＭ（Ｒｅａｄ Ｏｎｌｙ Ｍｅｍｏｒｙ）１２に記憶されているプログラムに従って各種の処理を実行する。ＲＡＭ（Ｒａｎｄｏｍ Ａｃｃｅｓｓ Ｍｅｍｏｒｙ）１３には、ＣＰＵ１１が各種の処理を実行する上において必要なデータやプログラムなどが適宜記憶される。
【００４５】
記録制御部１４は、エンコーダ／デコーダ部１６より供給される画像データ、音声データおよびローレゾデータなどを、または、記憶部２４に記憶されている画像データ、音声データおよびローレゾデータなどを、図５を参照して後述するリムーバブルメディア３のファイルシステムに基づいて、ドライブ２７を介して、リムーバブルメディア３に記録する制御を行う。
【００４６】
再生制御部１５は、リムーバブルメディア３のファイルシステムに基づいて、ドライブ２６を制御し、リムーバブルメディア３に記録されている画像データ、音声データまたはローレゾデータなど読み出し、リムーバブルメディア３から読み出された画像データ、音声データまたはローレゾデータなどを、エンコーダ／デコーダ部１６に供給する。
【００４７】
エンコーダ／デコーダ部１６は、カメラ部２８又は入力部２２より入力された画像データ、音声データを所定のコーデックで符号化し、記憶部２４または記録制御部１４に供給する。さらに、必要な場合は、エンコーダ／デコーダ部１６は、入力部２２より入力された画像データを、例えば、ＭＰＥＧ４方式で符号化し、ローレゾデータとして、記憶部２４または記録制御部１４に供給し、入力部２２より入力された音声データを、例えば、ＩＴＵ−Ｔ Ｇ．７１１ Ａ−Ｌａｗ方式で符号化し、ローレゾデータとして、記憶部２４又は記録制御部１４に供給する。
【００４８】
また、エンコーダ／デコーダ部１６は、再生制御部１５より供給された画像データ、音声データまたはローレゾデータを、出力部２３を構成するモニタまたはスピーカなどに出力する。
【００４９】
ＣＰＵ１１、ＲＯＭ１２、ＲＡＭ１３、記録制御部１４、再生制御部１５及びエンコーダ／デコーダ部１６は、バス１７を介して相互に接続されている。また、このバス１７には入出力インタフェース２０も接続されている。
【００５０】
入出力インタフェース２０は、キーボードやマウスから構成される操作部２１が接続され、操作部２１に入力された信号をＣＰＵ１１に出力する。また、入出力インタフェース２０には、被写体を撮像し、撮像した画像データを入力するカメラ部２８、音声データを入力するマイクロフォンなどにより構成される入力部２２、ＣＲＴ（Ｃａｔｈｏｄｅ Ｒａｙ Ｔｕｂｅ） 、ＬＣＤ（Ｌｉｑｕｉｄ Ｃｒｙｓｔａｌ Ｄｉｓｐｌａｙ）などよりなるモニタ、並びにスピーカなどよりなる出力部２３、ハードディスクやＥＥＰＲＯＭ（Ｅｌｅｃｔｒｏｎｉｃａｌｌｙ Ｅｒａｓａｂｌｅ ａｎｄ Ｐｒｏｇｒａｍａｂｌｅ Ｒｅａｄ Ｏｎｌｙ Ｍｅｍｏｒｙ）などから構成される記憶部２４、通信部２５、ドライブ２６、ドライブ２７が接続されている。
【００５１】
通信部２５は、例えば、ＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）１３９４ポートや、ＵＳＢ（Ｕｎｉｖｅｒｓａｌ Ｓｅｒｉａｌ Ｂｕｓ）ポート、ＬＡＮ（Ｌｏｃａｌ Ａｒｅａ Ｎｅｔｗｏｒｋ）接続用のＮＩＣ（Ｎｅｔｗｏｒｋ Ｉｎｔｅｒｆａｃｅ Ｃａｒｄ）、あるいは、アナログモデムや、ＴＡ（Ｔｅｒｍｉｎａｌ Ａｄａｐｔｅｒ）およびＤＳＵ（Ｄｉｇｉｔａｌ Ｓｅｒｖｉｃｅ Ｕｎｉｔ）、ＡＤＳＬ（Ａｓｙｍｍｅｔｒｉｃ Ｄｉｇｉｔａｌ Ｓｕｂｓｃｒｉｂｅｒ Ｌｉｎｅ）モデム等で構成され、例えば、インターネットやイントラネット等のネットワーク５を介して、編集用端末装置７などと、データをやりとりする。
【００５２】
ドライブ２７には、リムーバブルメディア３を着脱することができるようになっている。ドライブ２７は、そこに装着されたリムーバブルメディア３を駆動することにより、リムーバブルメディア３に対して、画像データや音声データを記録したり、記憶されている画像データや音声データを再生する。
【００５３】
カメラ部２８は、ＣＣＤ（Ｃｈａｒｇｅ Ｃｏｕｐｌｅｄ Ｄｅｖｉｃｅｓ）又はＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）等の撮像手段を備え、各種レンズからなる光学系を経て入射された被写体像を電気信号、すなわち画像データに変換する。その画像データは、ＣＰＵ１１の制御の下、入出力インタフェース２０及びバス１７を介してエンコーダ／デコーダ部１６に入力される。
【００５４】
リムーバブルメディア３は、例えば、本出願人が製造しているフラッシュメモリタイプの、メモリースティック（商標登録）と呼ばれる記録メディアが適用される。サイズは例えば縦２１．５×横５０×厚さ２．８ｍｍの薄板状の小型・軽量で、パーソナルコンピュータやディジタルカメラ、携帯ディジタルオーディオプレーヤーなどの記録メディアとして利用されている。リムーバブルメディア３は、数十ＧＢから数百ＧＢの記憶容量のもので、転送速度を高速化したものでよい。
【００５５】
リムーバブルメディア３に記録された画像データや音声データ等は、クリップ(ファイル)として、図５を参照して後述するファイルシステムにより管理されている。このファイルシステムにおいては、リムーバブルメディア３に記録されている複数のクリップは、メディアプロファイルとクリップインフォメーションにより管理されている。メディアプロファイルは、リムーバブルメディア３に記憶されているクリップすべてを管理する管理ファイルであり、メタデータとクリップインフォメーションファイルに記された情報を含むものである。クリップインフォメーションファイルは、クリップ毎に、クリップを構成するエッセンスデータを管理する管理ファイルである。
【００５６】
メディアプロファイルは、ドライブ２７にリムーバブルメディア３が装着されると、リムーバブルメディア３から読み出され、ＲＡＭ１３に展開される。クリップインフォメーションファイルは、再生するクリップが指示されたときなどにリムーバブルメディア３から読み出され、ＲＡＭ１３に展開される。なお、以降、クリップを構成する画像データや音声データ、ローレゾデータなどをエッセンスデータ又はコンテンツデータと称する。
【００５７】
入出力インタフェース２０には、また、必要に応じて、ドライブ２６がさらに接続される。ドライブ２６は、光ディスク９よりデータを読み出したり、データを書き込んだりするときに用いられる。
【００５８】
光ディスク９は、例えば、開口数（ＮＡ）０．８５、波長４０５ｎｍの青紫色レーザを用いて、最小マーク長０．１４μｍ、トラックピッチ０．３２μｍの記録密度で大容量（例えば２７ギガバイト）のデータを記録可能な光ディスクである。なお、光ディスク９は、それ以外の記録媒体であってもよく、例えば、ＤＶＤ−ＲＡＭ（Ｄｉｇｉｔａｌ Ｖｅｒｓａｔｉｌｅ Ｄｉｓｃ − Ｒａｎｄｏｍ Ａｃｃｅｓｓ Ｍｅｍｏｒｙ），ＤＶＤ−Ｒ（ＤＶＤ − Ｒｅｃｏｒｄａｂｌｅ），ＤＶＤ−ＲＷ（ＤＶＤ − ＲｅＷｒｉｔａｂｌｅ），ＤＶＤ＋Ｒ（ＤＶＤ ＋ Ｒｅｃｏｒｄａｂｌｅ），ＤＶＤ＋ＲＷ（ＤＶＤ ＋ ＲｅＷｒｉｔａｂｌｅ），ＣＤ−Ｒ（Ｃｏｍｐａｃｔ Ｄｉｓｃ − Ｒｅｃｏｒｄａｂｌｅ），またはＣＤ−ＲＷ（ＣＤ − ＲｅＷｒｉｔａｂｌｅ）等の各種の光ディスクであってもよい。
【００５９】
なお、本例ではドライブ２６によりデータの読み出し及び書き込みが行われる記録媒体の例として光ディスク９を挙げたが、これに限らず磁気ディスクや光磁気ディスク等、種々のディスク状の記録媒体を適用することができる。
【００６０】
図３は、図２の記録制御部１４の構成例を示している。図３の例において、記録制御部１４は、データ取り込み部３１、情報取得部３２、データ生成部３３、クリップ生成部３４、メディアプロファイル更新部３５、データ記録部３６及びテーブル記録部３７により構成される。
【００６１】
データ取り込み部３１は、エンコーダ／デコーダ部１６又は記憶部２４より画像データ、音声データ及びローレゾデータなどを取り込み、データ生成部３３に供給する。
【００６２】
情報取得部３２は、ＣＰＵ１１によりデータの記録開始が指示されると、ＲＡＭ１３に記憶されているパラメータ情報を、ＲＡＭ１３から取得し、データ生成部３３、クリップ生成部３４及びメディアプロファイル生成部３５に供給する。パラメータ情報とは、入力部２２が画像データ及び音声データを入力(撮像及び録音)するためのカメラ一体型記録再生装置１の設定情報であり、入力される画像データ及び音声データの解像度の情報、コーデック（符号化方法）の種類など、画像データ及び音声データを再生するときに、必要とされる再生情報である。パラメータ情報は、カメラ一体型記録再生装置１に予め設定されているか、又は、操作部２１を介して、撮影スタッフなどにより設定され、ＲＡＭ１３に記憶されている。
【００６３】
データ生成部３３は、情報取得部３２からのパラメータ情報に基づいて、データ取り込み部３１から供給された画像データ、音声データ及びローレゾデータなどから、所定のフォーマット（例えば図６の場合、ＭＰ４）の各エッセンスデータ（画像データ、音声データ及びローレゾデータ）をそれぞれ生成し、データ記録部３６に出力する。また、データ生成部３３は、情報取得部３２からのパラメータ情報などに基づいて、メタデータなども、所定のフォーマットでそれぞれ生成し、データ記録部３６に出力する。
【００６４】
なお、上記エッセンスデータとしては、ＭＰ４ファイルの他、種々のファイルを適用できる。ＭＰ４ファイルは、ＭＰＥＧ（Ｍｏｔｉｏｎ Ｐｉｃｔｕｒｅ Ｅｘｐｅｒｔｓ Ｇｒｏｕｐ）−４形式の圧縮動画データを格納するファイル形式の一つであり、ＩＳＯ／ＩＥＣ １４４９６規格のＰａｒｔ １４の項で規定されている。ＭＰＥＧ−４形式の動画だけでなくＭＰＥＧ−２やＭＰＥＧ−１の動画を保存することもでき、また、ＡＡＣ（Ａｄｖａｎｃｅｄ Ａｕｄｉｏ Ｃｏｄｉｎｇ）やＭＰ３などの音声、ＪＰＥＧ（Ｊｏｉｎｔ Ｐｈｏｔｏｇｒａｐｈｉｃ Ｅｘｐｅｒｔｓ Ｇｒｏｕｐ）やＰＮＧ（Ｐｏｒｔａｂｌｅ Ｎｅｔｗｏｒｋ Ｇｒａｐｈｉｃｓ）などの静止画などを多重化して格納することができるため、どのような形式のデータが入っているかは内部を解析してみないと分からない。
【００６５】
クリップ生成部３４は、情報取得部３２からパラメータ情報が入力されると、入力されるデータ用の新しいクリップをまとめたテイクを生成するために、クリップディレクトリを生成する。また、クリップ生成部３４は、情報取得部３２からのパラメータ情報に基づいて、データ生成部３３により生成された各エッセンスデータを再生するために必要な、各エッセンスデータの属性情報が記述されたクリップインフォメーションファイルを生成し、生成したクリップインフォメーションファイルをテーブル記録部３７に出力する。
【００６６】
メディアプロファイル更新部３５は、リムーバブルメディア３から読み出され、ＲＡＭ１３に展開されているメディアプロファイルに、情報取得部３２からのパラメータ情報に基づいて、生成されたクリップに対応したクリップ要素を生成し、メディアプロファイルを更新する。生成されたクリップ要素には、クリップを再生するために必要なクリップの属性情報が記述されている。メディアプロファイル更新部３５は、更新されたメディアプロファイルをテーブル記憶部３７に出力する。
【００６７】
データ記録部３６は、データ生成部３３により生成されたデータをドライブ２７を介して、リムーバブルメディア３に記録する。テーブル記録部３７は、クリップ生成部３４により生成されたクリップディレクトリ及びクリップインフォメーションファイルなど、並びに、メディアプロファイル更新部３５により更新されたメディアプロファイルを、ドライブ２７を介して、リムーバブルメディア３に記録する。
【００６８】
図４は、図２の再生制御部１５の構成例を示している。図４の例において、再生制御部１５は、クリップ再生部４１、テープ再生部４２、メディアプロファイル情報取得部４３及びクリップ情報取得部４４により構成される。再生制御部１５のクリップ再生部４１及びテープ再生部４２は、ＣＰＵ１１からのクリップ再生開始又はテープ再生開始の指示に基づいて、メディアプロファイル情報取得部４３又はクリップ情報取得部４４を制御し、リムーバブルメディア３からデータを読み出す。
【００６９】
ここで、テープ再生とは、クリップ再生が、１つのクリップを再生するのに対して、リムーバブルメディア３に記録されているすべてのクリップを、あたかもテープを再生するかのように、記録された順に、次々と連続して再生するクリップ連続再生処理のことをいう。
【００７０】
クリップ再生部４１は、ＣＰＵ１１からクリップ再生開始の指示を入力した場合、メディアプロファイル情報取得部４３又はクリップ情報取得部４４を制御し、対応するクリップを再生するための情報を取得させ、取得された情報に基づいて、ドライブ２７を制御し、リムーバブルメディア３に記録されている画像データ、音声データ又はローレゾデータなどを読み出し、このリムーバブルメディア３から読み出された画像データ、音声データ又はローレゾデータなどを、エンコーダ／デコーダ部１６に供給する。
【００７１】
テープ再生部４２は、ＣＰＵ１１からテープ再生開始の指示を入力した場合、メディアプロファイル情報取得部４３又はクリップ情報取得部４４を制御し、対応するクリップを再生するための情報を取得させる。そして、取得された情報に基づいて、ドライブ２７を制御し、リムーバブルメディア３に記録されている画像データ、音声データ又はローレゾデータなど読み出し、リムーバブルメディア３から読み出された画像データ、音声データ又はローレゾデータなどを、エンコーダ／デコーダ部１６に供給する。すなわち、テープ再生部４２は、メディアプロファイル情報取得部４３より取得されたメディアプロファイルに登録された順にクリップを読み出し、出力する。
【００７２】
メディアプロファイル情報取得部４３は、クリップ再生部４１又はテープ再生部４２の制御のもと、ＲＡＭ１３のメディアプロファイルから対応するクリップを再生するための情報を取得し、クリップ再生部４１又はテープ再生部４２に出力する。
【００７３】
テイク情報取得部４４は、クリップ再生部４１又はテープ再生部４２の制御のもと、リムーバブルメディア３からドライブ２７を介して、対応するクリップのクリップインフォメーションファイルを読み出し、ＲＡＭ１３に展開する。また、クリップ情報取得部４４は、ＲＡＭ１３のクリップインフォメーションファイルから対応するクリップを再生するための情報を取得し、クリップ再生部４１又はテープ再生部４２に出力する。
【００７４】
次に、リムーバブルメディア３に記録されているデータを管理するファイルシステム、並びにファイルシステムにおけるディレクトリ構造およびファイルについて説明する。このファイルシステムにおいては、リムーバブルメディア３に記録されたデータは図５に示されるようなディレクトリ構造およびファイルにより管理される。
【００７５】
図５は、リムーバブルメディア３のファイルシステムの構成例を示す。図５において、ルートディレクトリ（ＲＯＯＴ）５１には、ＢＰＡＶディレクトリ５２が設けられる。ＢＰＡＶディレクトリ５２の下位には、画像データや音声データ等のエッセンスデータに関する情報等が配置される。なお、ルートディレクトリ５１には、図示は省略するが、構成表データ等も設けられる。
【００７６】
ＢＰＡＶディレクトリ５２には、リムーバブルメディア３に記録されているすべてのエッセンスデータに対するタイトルやコメント、さらに、リムーバブルメディア３に記録されているすべての画像データの代表となるフレームである代表画に対応する画像データのパス等の情報を含むファイルであるボリュームメタファイル（ＶＯＬＭＥＴＡ．ＸＭＬ）５５、リムーバブルメディア３に記録されているすべてのクリップを管理するための管理情報等を含むメディアプロファイル（ＭＥＤＩＡＰＲＯ．ＸＭＬ）５３、及びメディアプロファイル（ＭＥＤＩＡＰＲＯ．ＢＵＰ）５４が設けられている。なお、メディアプロファイル５４は、メディアプロファイル５３を複製したものであり、２つのファイルを用意することにより、信頼性の向上が図られている。
【００７７】
ＢＰＡＶディレクトリ５２には、さらに、リムーバブルメディア３に記録されているデータ全体に対するメタデータであり、例えば、メディア属性、再生開始位置、又はＲｅｃｌｎｈｉ等の情報を含むファイルであるキューアップインフォメーションファイル（ＣＵＥＵＰＩＮＦＯ．ＸＭＬ）５６及びキューアップインフォメーションファイル（ＣＵＥＵＰＩＮＦＯ．ＢＵＰ）５７が設けられている。なお、キューアップインフォメーションファイル５７は、キューアップインフォメーションファイル５６を複製したものであり、２つのファイルを用意することにより、信頼性の向上が図られている。ただし、これらの情報を更新する場合、キューアップインフォメーションファイル５６のみを更新するようにしてもよい。
【００７８】
また、ＢＰＡＶディレクトリ５２には、上述したファイル以外にも、クリップのデータが下位のディレクトリに設けられるクリップルートディレクトリ（ＣＬＰＲ）５８が設けられる。
【００７９】
クリップルートディレクトリ５８には、リムーバブルメディア３に記録されているクリップのデータが、クリップ毎に異なるディレクトリに分けて管理されており、例えば、図５の場合、３つのクリップのデータが、クリップディレクトリ（２００７０９＿０００１＿０１）６１、クリップディレクトリ（２００７０９＿０００１＿０２）６２の２つのディレクトリに分けられて管理されている。すなわち、リムーバブルメディア３に記録された最初のクリップの各データは、クリップディレクトリ６１の下位のディレクトリのファイルとして管理され、２番目にリムーバブルメディア３に記録されたクリップの各データは、クリップディレクトリ６２の下位のディレクトリのファイルとして管理される。
【００８０】
なお、各クリップディレクトリは、書き換え、削除禁止属性情報を有しており、各クリップディレクトリの下位のディレクトリとして管理される各データの書き換え及び削除禁止属性は、その上位のクリップディレクトリが有する書き換え、削除禁止属性情報に基づいて管理される。
【００８１】
上述したクリップルートディレクトリ５８に設けられるクリップディレクトリ６１の下位のディレクトリには、最初にリムーバブルメディア３に記録されたクリップの各データが、図６に示されるようなファイルとして設けられ、管理される。
【００８２】
図６は、図５のクリップディレクトリ６１の構成例を示す。図６の場合、クリップディレクトリ６１には、このクリップを管理するファイルであるクリップインフォメーションファイル（２００７０９＿０００１＿０１．ＳＭＩ）７１、このクリップの画像データ（音声データを含む）ファイルである画像データファイル（２００７０９＿０００１＿０１．ＭＰ４）７２、このクリップのエッセンスデータに対応する、例えば、ＬＴＣ（Ｌｉｎｅａｒ Ｔｉｍｅ Ｃｏｄｅ）とフレーム番号を対応させる変換テーブル等の、リアルタイム性を要求されないメタデータであるクリップメタデータを含むファイルであるクリップメタデータファイル（２００７０９＿０００１＿０１．ＸＭＬ）８２、このクリップのエッセンスデータに対応する、例えばＬＴＣ等の、リアルタイム性を要求されるメタデータであるフレームメタデータを含むファイルであるフレームメタデータファイル（２００７０９＿０００１＿０１．ＢＩＭ）８３、並びに、画像データファイル７２のフレーム構造（例えば、ＭＰＥＧ等におけるピクチャ毎の圧縮形式に関する情報や、ファイルの先頭からのオフセットアドレス等の情報）が記述されたファイルであるピクチャポインタファイル（２００７０９＿０００１＿０１．ＰＰＮ）８４等のファイルが設けられる。なお、上述したように、これらのファイルの書き換え、削除禁止属性は、クリップディレクトリ６１が有する書き換え、削除禁止属性情報に基づいて管理される。
【００８３】
図６の場合、再生時にリアルタイム性を要求されるデータである、画像データ、ローレゾデータ、およびフレームメタデータは、それぞれ１つのファイルとして管理され、読み出し時間が増加しないようになされている。
【００８４】
同様に、画像データ、ローレゾデータ、およびフレームメタデータも、場合によって、それぞれ、２つ以上のファイルとして管理されるようにしてもよい。
【００８５】
また、図６において、リアルタイム性を要求されないクリップメタデータは、リアルタイム性を要求されるフレームメタデータと異なるファイルとして管理される。これは、画像データ等の通常の再生中に必要の無いメタデータを読み出さないようにするためであり、このようにすることにより、再生処理の処理時間や、処理に必要な負荷を軽減することができる。
【００８６】
なお、クリップメタデータファイル８２は、汎用性を持たせるためにＸＭＬ（ｅＸｔｅｎｓｉｂｌｅ Ｍａｒｋｕｐ Ｌａｎｇｕａｇｅ）形式で記述されているが、フレームメタデータファイル８３は、再生処理の処理時間や処理に必要な負荷を軽減させるために、ＸＭＬ形式のファイルをコンパイルしたＢＩＭ形式のファイルとしている。
【００８７】
図６に示されるクリップディレクトリ６１のファイルの構成例は、リムーバブルメディア３に記録されている各クリップに対応するすべてのクリップディレクトリにおいて適用することができる。すなわち、図５に示される、その他のクリップディレクトリ６２においても、図６に示されるファイルの構成例を適用することができるので、その説明を省略する。
【００８８】
以上において、１つのクリップに対応するクリップディレクトリに含まれる各ファイルについて説明したが、ファイルの構成は上述した例に限らず、各クリップディレクトリの下位のディレクトリに、そのクリップに対応するクリップメタデータファイルが存在すれば、どのような構成であってもよい。
【００８９】
上述した例では、ＭＰＥＧ形式の圧縮動画データを格納するファイル形式であるＭＰ４ファイル形式に対する例を示したが、これに限らず、他のフォーマット、例えば、ＭＸＦ（Ｍａｔｅｒｉａｌ ｅＸｃｈａｎｇｅ Ｆｏｒｍａｔ）ファイル形式の画像データ、音声データ及びローレゾデータなどに対しても適用することができる。
【００９０】
次に、リムーバブルメディア３のファイルシステムのメディアプロファイルについて説明する。上述したように、メディアプロファイルは、リムーバブルメディア３に記録されているすべてのクリップを一括管理するための管理情報が記述されるクリップテーブル（ｃｌｉｐＴａｂｌｅ）より構成される。クリップテーブルにはさらに、各クリップに属するエッセンスデータ（画像データ、音声データおよびローレゾデータなど）の管理情報も含まれる。なお、このメディアプロファイルは、リムーバブルメディア３内のデータを管理するための主にリムーバブルメディア３内で使用されるファイルであり、独自のスキーマによるＸＭＬ形式で管理されている。
【００９１】
図７は、図５のメディアプロファイル５３の例を示す。なお、図７において、各行頭の数字と、コロン記号（：）は、説明の便宜上付加したものであり、コードの一部ではない。
【００９２】
第１行目の＜?xml version=”1.0” encoding=“UTF-8”?＞は、第２行目以下に記述されるメディアプロファイル５３が、ＸＭＬ形式のバージョン“ 1.0”で記述されており、UTF-8でエンコードされていることを表している。そして、図７の例においては、第２行目乃至第４行目の＜MediaProfile xmlns=”http://xmlns.sony.net/pro/metadata/ mediaprofile” createdAt="2006-12-01T14:43:30+09:00"version="1.00">までの間に、最上位要素＜MediaProfile xmlns=”・・・＞と、最上位要素の属性"createdAt="、" version="を有していることを示している。"createdAt="は、メディアプロファイル５３の作成日時を示し、" version="は、メディアプロファイル５３のスキーマバージョンを示している。ここまでの第１行目乃至第４行目は、メディアプロファイル５３を作成したカメラ一体型記録再生装置１及びこれに装着されたリムーバブルメディア３の属性を示している。
【００９３】
第５行目の乃至第２４行目＜Contents＞要素は、カメラ一体型記録再生装置１に装着されたリムーバブルメディア３の素材（クリップ）の一覧を示す要素である。第６行目乃至第２０行目は、クリップディレクトリ（200709_0001_01）６１に対応する情報を記述したものであり、第２１行目乃至第２３行目は、クリップディレクトリ（200709_0001_02）６２に対応する情報を記述したものである。なお、素材が存在しない場合は、この要素は生成しない。
【００９４】
第６行目乃至第９行目の＜Material＞要素は、＜Contents＞要素の子要素である。videoType、audioType、aspectRatio属性を除いてすべて必須記述要素である。この例では、videoType、すなわち画像データのファイル形式としてＭＰＥＧ−２を使用している。
【００９５】
第６行目の＜Material uri＞要素は、対応するクリップ（200709_0001_01.SMI）のディレクトリ階層上の位置を示す。第９行目の＜umid＞属性は、このクリップ（200709_0001_01.SMI）に設定される、ワールドワイドで唯一の識別子を示す。第１０行目の＜Component uri＞要素は、＜Material uri＞要素に対応するエッセンスデータ（200709_0001_01.MP4）を記述した要素である。第１４行目乃至第１６行目の＜RelevantInfo uri＞は、このクリップ（200709_0001_01.SMI）に関連する要素であり、ノンリアルタイム及びリアルタイムメタデータ、並びにピクチャポインタに関する情報を示す。
【００９６】
第２１行目乃至第２３行目は、クリップディレクトリ（200709_0001_02）６２に対応する情報であり、上記クリップディレクトリ（200709_0001_01）６１に対する構成と同様であるのであり、上記説明を準用できるのでここでは詳細な説明を省略する。
【００９７】
以上のように、メディアプロファイルには、クリップを構成するエッセンスデータを再生するために必要な情報、例えばディレクトリ階層上の位置を示す情報及びエッセンスデータの付属情報が記述されている。したがって、クリップ内のエッセンスデータを読み出して、再生に必要な情報を解釈しなくても、メディアプロファイルを参照することにより、すぐに、エッセンスデータを再生するために必要な情報であるエッセンスデータの付属情報を取得することができる。
【００９８】
また、メディアプロファイルにおいては、汎用性のあるＳＭＩＬが用いられ、さらに、クリップを構成するエッセンスデータが、汎用性のあるユーミッドで管理されている。これにより、メディアプロファイルを外部の装置で簡単に利用することができる。
【００９９】
次に、図８のフローチャートを参照して、カメラ一体型記録再生装置１にリムーバブルメディア３が装着（マウント）された場合に実行されるメディアプロファイルの読み出し処理を説明する。
【０１００】
撮影スタッフは、カメラ一体型記録再生装置１を用いて、撮影により得られる画像データや音声データを記録するために、又は、リムーバブルメディア３に記録されている画像データや音声データ、ローレゾデータ等のコンテンツを再生するために、リムーバブルメディア３をドライブ２７に装着する。
【０１０１】
ＣＰＵ１１は、ドライブ２７にリムーバブルメディア３が装着されたかどうかの判断処理を実行し（ステップＳ１）、ドライブ２７にリムーバブルメディア３が装着されない場合は装着されるまで待機する。ＣＰＵ１１は、ドライブ２７にリムーバブルメディア３が装着されたと判断した場合、その旨を再生制御部１５に通知し、再生処理を実行するよう指示する。再生制御部１５は、ドライブ２７を制御し、リムーバブルメディア３からメディアプロファイル（例えば、メディアプロファイル５３）を読み出させ（ステップＳ２）、ＲＡＭ１３に展開（ロード）し、メディアプロファイル読み込み処理を終了する。
【０１０２】
このようにして、カメラ一体型記録再生装置１においては、リムーバブルメディア３が装着された時点で、メディアプロファイルがリムーバブルメディア３から読み出され、ＲＡＭ１３に展開される。そして、これ以降の処理においては、ＲＡＭ１３に展開されたメディアプロファイルに基づいて、リムーバブルメディア３に対して、データ書き込みや読み出しの処理が実行される。これにより、リムーバブルメディア３に記録されているデータ、すなわち画像データや音楽データ、ローレゾデータ等のコンテンツへのアクセスを早くすることができる。
【０１０３】
上記のように、リムーバブルメディア３上のクリップ情報をメディアプロファイルに写し取り、クリップ群の構築をメディアプロファイルから行うようにしている。メディアプロファイルは、ソフトウェアが動作メモリ（例えばＲＡＭ１３）上で管理するデータの一つで、リムーバブルメディア３内に存在するクリップの一覧リストである。メディアプロファイル（ＭＥＤＩＡＰＲＯ．ＸＭＬ）５３は、リムーバブルメディア３の管理ファイルの一つであり、メディアプロファイルが実ファイル化されたものである。リムーバブルメディア３をカメラ一体型記録再生装置１にマウントした際にこれを読み込むことで、メディアプロファイルを取得することができる。
【０１０４】
なお、上記のメディアプロファイルの読み出し処理は、カメラ一体型記録再生装置１にリムーバブルメディア３が装着（マウント）された場合に実施すると説明したが、カメラ一体型記録再生装置１にリムーバブルメディア３が装着されている状態で電源が投入された場合にも実施する。
【０１０５】
ところで、本来、実ファイル構造を写し取ったものであるはずのメディアプロファイルが、何らかの理由で正しくないとみなされたときには、実ファイル構造と整合をとって修正する必要がある。この修正処理（コンテンツ管理）を、本願ではハウスキーピングと呼ぶ。本願のハウスキーピング、ハウスキーピング機能の特徴は、第１に、メディアプロファイルを所定の条件に沿って更新すること、第２に、更新したメディアプロファイルをリムーバブルメディア３のメディアプロファイルに書き戻すことである。
【０１０６】
ハウスキーピング処理は、フォーマット違反の可能性がありそのまま使用することができないリムーバブルメディアを使用可能な状態にするために行われる。ハウスキーピング処理が必要となるのは、次の状態のときである。第１に、リムーバブルメディア３に、管理ファイルであるメディアプロファイル（ＭＥＤＩＡＰＲＯ．ＸＭＬ）５３が存在しない場合である。第２に、リムーバブルメディア３をカメラ一体型記録再生装置１にマウントした時に、リムーバブルメディア３の管理ファイルとして存在するメディアプロファイル（ＭＥＤＩＡＰＲＯ．ＸＭＬ）５３を読み込んで得たメディアプロファイルの内容と、リムーバブルメディア３に記録されている実態に相違がある場合である。上記第２のケースとしては、例えばカメラ一体型記録再生装置１以外の機器で、メディアプロファイル（ＭＥＤＩＡＰＲＯ．ＸＭＬ）５３に反映せずにコンテンツファイルを追加・削除する、というようなケースが考えられる。
【０１０７】
ここで、ハウスキーピング処理の概要について説明する。既存のメディアプロファイルが存在する場合は、そのメディアプロファイルとＢＰＡＶディレクトリ構造とを比較し、所定の条件によりメディアプロファイルを更新する。このハウスキーピング処理において更新するのは、メディアプロファイルのみで、リムーバブルメディア３上のＢＰＡＶディレクトリ５２以下に配置されたメディアプロファイル（ＭＥＤＩＡＰＲＯ．ＸＭＬ）５３以外のファイルを編集したり削除したりすることはない。また、メディアプロファイル（ＭＥＤＩＡＰＲＯ．ＸＭＬ）５３以外のファイルを新規作成することもない。
【０１０８】
メディアプロファイルを更新したとき、リムーバブルメディア３が書き込み可であれば適切なタイミングでメディアプロファイル（ＭＥＤＩＡＰＲＯ．ＸＭＬ）５３に反映する。何らかの理由でリムーバブルメディア３が書き込み不可の場合は、メディアプロファイル（ＭＥＤＩＡＰＲＯ．ＸＭＬ）５３を更新できなくてもよいが、メディアプロファイルは最新の情報を保つようにする。
【０１０９】
続いて、ハウスキーピング処理の詳細を図９に示すフローチャートを参照して説明する。図９のハウスキーピング処理フローチャートを説明するにあたって、図１０〜図１３を参照する。図１０は、リムーバブルメディア３のファイルシステムに沿ってファイルを実装した場合のディレクトリ構成の一例である。図１１は、図１０のディレクトリ構成に対応するメディアプロファイルの例を示すものである。図１２は、図１０のディレクトリ構成のリムーバブルメディア３に、コンテンツファイルを追加した場合のディレクトリ構成の例を示す図である。図１３は、コンテンツファイルが追加されたリムーバブルメディア３のメディアプロファイルの例を示す図である。なお、図１０及び図１２において、図５に対応する部分には同一符号を付して、詳細な説明を省略する。
【０１１０】
図１０において、ディレクトリの前に、プラス記号（＋）が付加されているものは、そのディスクに子要素があることを示すものであり、後述する図１２でも同様である。図１０において、リムーバブルメディア３のルートディレクトリの直下には、ＢＰＡＶディレクトリ５２が設けられている。ＢＰＡＶディレクトリ５２の直下には、リムーバブルメディア３に記録されているすべてのクリップ及びエディットリストを管理するための管理情報等を含むメディアプロファイル(ＭＥＤＩＡＰＲＯ．ＸＭＬ)５３、リムーバブルメディア３に記録されているデータ全体に対するメタデータであり、例えば、メディア属性、再生開始位置、又はＲｅｃｌｎｈｉ等の情報を含むファイルであるキューアップインフォメーションファイル(ＣＵＥＵＰＩＮＦＯ．ＸＭＬ)５６が設けられている。
【０１１１】
図５に示したように、リムーバブルメディア３に記録されているすべての画像データの代表となるフレームである代表画に対応する画像データのパス等の情報を含むファイルであるボリュームメタファイル(ＶＯＬＭＥＴＡ．ＸＭＬ)５５、バックアップ用のメディアプロファイル（ＭＥＤＩＡＰＲＯ．ＢＵＰ）５４及びキューアップインフォメーションファイル（ＣＵＥＵＰＩＮＦＯ．ＢＵＰ）５７については、記載を省略している。
【０１１２】
さらに、ＢＰＡＶディレクトリ５２の下位には、上述したファイル以外にも、画像データや音声データ等のエッセンスデータ（コンテンツデータ）を含むクリップルートディレクトリ（ＣＬＰＲ）５８、および、メディアプロファイルにはクリップではない一般のディレクトリ（Ｇｅｎｅｒａｌ）５９が配置されている。クリップではない一般のディレクトリの情報はメディアプロファイルには反映されない。
【０１１３】
クリップルートディレクトリ５８には、リムーバブルメディア３に記録されているクリップのデータが、クリップ毎に異なるディレクトリに分けて管理されている。例えば、図１０の場合、クリップディレクトリ（２００７０９＿０００１＿０１）１２１、クリップディレクトリ（２００７０９＿０００２＿０１）１２２、クリップディレクトリ（２００７０９＿０００３＿０１）１２３、クリップディレクトリ（２００７０９＿０００３＿０２）１２４、クリップディレクトリ（ＦＵＪＩ０００４＿０１）１２５の５つのディレクトリが管理されている。
【０１１４】
例えば、クリップディレクトリ１２３の場合、このクリップを管理するファイルであるクリップインフォメーションファイル（２００７０９＿０００３＿０１．ＳＭＩ）、このクリップの画像データ等のコンテンツデータを含むファイルであるコンテンツデータファイル（２００７０９＿０００３＿０１．ＭＰ４）、このクリップのエッセンスデータに対応するリアルタイム性を要求されないメタデータであるクリップメタデータファイル（２００７０９＿０００３＿０１Ｍ０１．ＸＭＬ）、このクリップのエッセンスデータに対応するリアルタイム性を要求されるメタデータであるフレームメタデータファイル（２００７０９＿０００３＿０１Ｒ０１．ＢＩＮ）、並びに、画像データファイルのフレーム構造（例えば、ＭＰＥＧ等におけるピクチャ毎の圧縮形式に関する情報や、ファイルの先頭からのオフセットアドレス等の情報）が記述されたファイルであるピクチャポインタファイル（２００７０９＿０００３＿０１Ｉ０１．ＰＰＮ）等のファイルが配置されている。
【０１１５】
図１０の例では、クリップディレクトリ内のコンテンツデータとして、ＭＰ４ファイルを使用している。このＭＰ４ファイルは、画像データと音声データを保存できるものであるが、ＭＸＦファイル形式等、ＭＰ４以外のファイル形式でもよい。この場合、例えば、１つのクリップディレクトリ内で画像データと音声データで別々にファイルを管理することができる。
【０１１６】
図１０に示したクリップインデックス１２３の構成例は、リムーバブルメディア３に記録されている各クリップに対応するすべてのクリップディレクトリにおいて適用することができる。すなわち、図１０に示される、その他のクリップディレクトリ１２１，１２２，１２４，１２５においても、クリップインデックス１２３のファイルの構成例を適用することができるので、その説明を省略する。
【０１１７】
クリップディレクトリ（ＦＵＪＩ０００４＿０１）１２５は、ディレクトリ名称を、カメラ一体型記録再生装置１でクリップを生成した際に付けられた任意のシリアルナンバーから利用者が所望する“ＦＵＪＩ０００４＿０１”に、変更した例である。
【０１１８】
図１１は、図１０に示したメディアプロファイル（ＭＥＤＩＡＰＲＯ．ＸＭＬ)５３の素材一覧を示している。メディアプロファイル５３のコンテンツ欄の２行目から１９行目までには、マテリアル項目として、図１０に示したクリップルートディレクトリ（ＣＬＰＲ）５８の下位のクリップディレクトリ（２００７０９＿０００１＿０１）１２１、クリップディレクトリ（２００７０９＿０００２＿０１）１２２、クリップディレクトリ（２００７０９＿０００３＿０１）１２３、及びクリップディレクトリ（２００７０９＿０００３＿０２）１２４の各ファイルのディレクトリ階層上の位置（所在）が示されている。
【０１１９】
また、２０行目から２２行目までには、マテリアル項目として、図１０に示したクリップルートディレクトリ（ＣＬＰＲ）５８の下位のクリップディレクトリ（ＦＵＪＩ０００４＿０１）１２５のファイルのディレクトリ階層上の位置（所在）が示されている。
【０１２０】
ここで、図１０に示したディレクトリ構成を持つリムーバブルメディア３を、カメラ一体型記録再生装置１から着脱し、フィールドＰＣ２、企画用端末装置６又は編集用端末装置７のいずれかに装着する。そして、装着先のいずれかの装置でリムーバブルメディア３に記録されているコンテンツデータを編集した場合について説明する。ここで言う編集とは、コンテンツデータの追加又は削除を伴う作業である。
【０１２１】
上記編集の結果、カメラ一体型記録再生装置１と異なる外部装置によりリムーバブルメディア３内のファイルシステムのディレクトリ構成が、例えば、図１２に示すディレクトリ構造に変更されたものとする。図１２のディレクトリ構造において、図１０のディレクトリ構成に対してクリップルートディレクトリ（ＣＬＰＲ）５８直下にクリップに対応するコンテンツデータ（Ｋａｍｐａｋｅ．ＭＰ４）１４６のファイルが追加されている。その他の構造について変更されていないものとする。この時点で、リムーバブルメディア３のメディアプロファイル（ＭＥＤＩＡＰＲＯ．ＸＭＬ)５３は変更されていない。つまり、追加されたコンテンツデータ１４６のファイル情報はメディアプロファイル（ＭＥＤＩＡＰＲＯ．ＸＭＬ)５３に反映されていない。
【０１２２】
上記コンテンツデータ１４６が追加されたリムーバブルメディア３を、カメラ一体型記録再生装置１に戻して再装着（マウント）すると、カメラ一体型記録再生装置１は図７に示したメディアプロファイル（ＭＥＤＩＡＰＲＯ．ＸＭＬ)５３の読出し処理を開始し、その後、所定の条件を満たしていれば図９のハウスキーピング処理を実行する。
【０１２３】
なお、ハウスキーピング処理は、カメラ一体型記録再生装置１にリムーバブルメディア３が装着（マウント）された場合に実施すると説明したが、カメラ一体型記録再生装置１にリムーバブルメディア３が装着されている状態で電源が投入された場合にも実施するように構成する。
【０１２４】
図９に示すように、まずカメラ一体型記録再生装置１の再生制御部１５は、リムーバブルメディア３のファイルシステムを最後に更新した装置を特定する情報、すなわち最終更新者情報（ＬＶＩＤ）を取得し、その取得した最終更新者情報がカメラ一体型記録再生装置１であるか否かを判定する。
【０１２５】
最終更新者情報がカメラ一体型記録再生装置１である場合、最後にメディアプロファイル（ＭＥＤＩＡＰＲＯ．ＸＭＬ)５３を編集したのはカメラ一体型記録再生装置１ということである。その場合、コンテンツデータの編集はカメラ一体型記録再生装置１により行われており、所定の処理を経てクリップやメディアプロファイルが変更されるため、リムーバブルメディア３を再装着後の再生に関して問題は生じない。したがって、その場合には、具体的な処理を行わずリムーバブルメディア３のマウントを完了する。
【０１２６】
また、再生制御部１５は、上記最終更新者情報の確認に加えて、メディアプロファイルが既に存在しており、そのメディアプロファイルにクリップとして既述されている内容と、クリップルートディレクトリ（ＣＬＰＲ）５８以下に存在するクリップ名（クリップディレクトリ名及び単体ＭＰ４ファイル名）が一致していることを確認する（ステップＳ１１）。一致している場合、具体的な処理を行わずリムーバブルメディア３のマウントを完了する。
【０１２７】
いずれか一つでも条件を満たさなかった場合、再生制御部１５は、システムコントローラ（シスコン）、例えばＣＰＵ１１へハウスキーピング処理が必要な旨を通知し、ＣＰＵ１１からの実行指示に従う（ステップＳ１２）。ハウスキーピングが実行されない場合はメディアマウントエラーとなり、それに対応した状態で処理を終了する。ハウスキーピング処理実行が指示された場合は、次の処理へ移行する。
【０１２８】
再生制御部１５は、ＲＡＭ１３に展開されたメディアプロファイル（ＭＥＤＩＡＰＲＯ．ＸＭＬ)５３と、リムーバブルメディア３のＢＰＡＶディレクトリ５２以下の指定のファイル群を比較し、メディアプロファイル（ＭＥＤＩＡＰＲＯ．ＸＭＬ)５３の修正が必要か否かを判定する（ステップＳ１３）。条件を満たさない場合、メディアプロファイル（ＭＥＤＩＡＰＲＯ．ＸＭＬ)５３の修正は不要であり、リムーバブルメディア３のマウントを完了する。比較する内容は下記とする。
【０１２９】
第１に、既存メディアプロファイル（ＭＥＤＩＡＰＲＯ．ＸＭＬ)５３に既述がないコンテンツデータのファイルが存在し、かつ、以下の条件をすべて満たすとき、クリップとしてメデイアプロファイル（ＭＥＤＩＡＰＲＯ．ＸＭＬ)５３に追加する。
［１］  クリップルートディレクトリ（ＣＬＰＲ）５８直下にＭＰ４ファイルが存在する、あるいはクリップディレクトリ以下にＭＰ４ファイルが一つ以上存在する。
［２］  ＭＰ４ファイルが後述するクリップとしての条件を満たしている。すなわち、リムーバブルメデイア３に追加されたＭＰ４が規定のフォーマット、すなわちこの例では、ＩＳＯ／ＩＥＣ １４４９６規格のＰａｒｔ １４の項の規定を満たしている。また、外部機器により追加されたＭＰ４ファイルがカメラ一体型記録再生装置１で扱えるものである。
【０１３０】
第２に、既存メディアプロファイル（ＭＥＤＩＡＰＲＯ．ＸＭＬ)５３に既述があるが、該当するクリップ（コンテンツデータ）及びクリップディレクトリが下記の条件を満たすとき、メディアプロファイル（ＭＥＤＩＡＰＲＯ．ＸＭＬ)５３から削除する。
・  クリップルートディレクトリ（ＣＬＰＲ）５８直下にあるはずのＭＰ４ファイルが、リムーバブルメディア３に存在しない。
［２］ クリップディレクトリごと存在しない。
【０１３１】
この例の場合、図１３に示すように、クリップルートディレクトリ（ＣＬＰＲ）５８直下にＭＰ４ファイルが存在し、かつ既存メディアプロファイル（ＭＥＤＩＡＰＲＯ．ＸＭＬ)５３に既述がないので、上記第１の条件に該当する。
【０１３２】
メディアプロファイル（ＭＥＤＩＡＰＲＯ．ＸＭＬ)５３の修正が必要と判断された場合、記録制御部１４は、ＲＡＭ１３上に展開されているメディアプロファイル（ＭＥＤＩＡＰＲＯ．ＸＭＬ)５３の内容を更新する（ステップＳ１４）。
【０１３３】
さらに、記録制御部１４は、リムーバブルメディア３が書き込み可能な状態であるか否かを判定する（ステップＳ１５）。書き込み可能な状態であると判定した場合、“ＭＥＤＩＡＰＲＯ．ＸＭＬ”規定のフォーマットに従って、上記修正を加えたメディアプロファイルの内容を、リムーバブルメディア３に書き込む（ステップＳ１６）。これにより、リムーバブルメディア３のマウント処理を完了する。
【０１３４】
一方、ステップＳ１５の処理において、リムーバブルメディア３が何らかの理由で書き込み不可の場合は、リムーバブルメディア３への書き込みは行わず、リムーバブルメディア３のマウントを完了する。
【０１３５】
図１２のコンテンツデータ１４６が追加されたリムーバブルメディア３のメディアプロファイル（ＭＥＤＩＡＰＲＯ．ＸＭＬ)５３は、上記ハウスキーピング処理によって図１３に示すように修正される。図１３のメディアプロファイルの素材一覧において、コンテンツ欄の２３行目に、クリップルートディレクトリ（ＣＬＰＲ）５８直下のクリップ（Ｋａｍｐａｋｅ．ＭＰ４）１４６の各ファイルのディレクトリ階層上の位置が示されている。
【０１３６】
以上説明したように、上記実施の形態では、メディアプロファイル（コンテンツ管理ファイル）に登録されているファイル（コンテンツデータ）と実際のファイルとの整合性を調べ、登録されていないファイルがあった場合は再生可否を調べ、再生可能な場合はそのファイルの情報をコンテンツ管理ファイルに登録する（ハウスキーピング処理）。このように構成したことにより、リムーバブルメディアのメディアプロファイルの内容と実際のファイル構成を一致させることができる。したがって、利用者がＰＣ等、カメラ一体型記録再生装置以外の機器で任意にメモリメディアに書き込んだファイル（コンテンツデータ）を、当該カメラ一体型記録再生装置において、再生可能なものに関しては自動的にコンテンツとして認識し、再生することが出来る。フォーマット違反の可能性があり、そのまま使用することのできないリムーバブルメディアを使用可能な状態とすることができる。
【０１３７】
また、カメラ一体型記録再生装置に装着されたリムーバブルメディアの最終更新者情報が当該カメラ一体型記録再生装置である場合、上記比較処理を行わないようにしたので、確実にフォーマット違反ではないと判断できるときには、メディアプロファイルに登録されているファイルと実際のファイルとの比較処理が実行されない。それにより、フォーマット違反が疑わしいような場合に絞ってハウスキーピング処理を適用することができ、無駄な処理が削減できる。
【０１３８】
また、本発明は、利用者がＰＣ等でリムーバブルメディアにコンテンツデータを書き込み、それをカメラ一体型記録再生装置のスロットに挿入した際、当該カメラ一体型記録再生装置のハウスキーピング機能で、特定のフォルダ直下またはその一段下に作られた任意フォルダ内のコンテンツデータに関して再生可否を調べ、可能と判断したコンテンツデータに関しては、カメラ一体型記録再生装置のメディアプロファイル（コンテンツ管理ファイル）に登録し、カメラ一体型記録再生装置で扱えるように構成されている。それにより、サムネイル表示や再生が可能な状態となる。
【０１３９】
例えば、リムーバブルメディアのどこに書かれても（どのようにフォルダを作られて、どこにコンテンツデータを入れても）対応するのは、カメラ一体型記録再生装置の処理負荷、応答速度を考えても現実的ではない。しかし、上記のような構成とすることで、利用者がＰＣ等で任意にリムーバブルメディアに書き込んだコンテンツデータを、当該カメラ一体型記録再生装置において、所定の位置に書き込まれた再生可能なものに関しては自動的にコンテンツとして認識し、再生することが出来るので、処理負荷が減少するとともに検索する場所が限られているため応答速度も速く、現実的である。
【０１４０】
このように、本発明は、利用者が、カメラ一体型記録再生装置で記録媒体として使用されているリムーバブルメディアにおいて、ＰＣ等でコンテンツデータを書き込み、それをカメラ一体型記録再生装置のスロットに挿入した際、カメラ一体型記録再生装置のハウスキーピング機能により、特定の条件を満たす任意フォルダ内のコンテンツデータに関しては、再生可否を調べ、その結果再生可能と判断したコンテンツデータに関しては、当該カメラ一体型記録再生装置のコンテンツ管理ファイル（例えばメディアプロファイル）に登録し、カメラ一体型記録再生装置でサムネイル表示や再生等を行うことができる。
【０１４１】
なお、上記実施の形態では、ハウスキーピング処理の説明において、追加されるコンテンツデータのファイル形式として、画像データと音声データの組み合わせが可能なＭＰ４ファイルを例に挙げたが、これに限るものではない。例えば、画像データのみ、音声データのみ、サムネイル表示用データのみでもよい。
【図面の簡単な説明】
【０１４２】
【図１】本発明を適用した映像プログラム制作支援システムの構成例を示す図である。
【図２】図１のカメラ一体型記録再生装置の構成例を示すブロック図である。
【図３】図２の記録制御部の構成例を示すブロック図である。
【図４】図２の再生制御部の構成例を示すブロック図である。
【図５】図１のリムーバブルメディアに記録されるファイルのディレクトリ構成例を示す図である。
【図６】図５のクリップディレクトリの構成例を示す図である。
【図７】図５のメディアプロファイルの例を示す図である。
【図８】図１のカメラ一体型記録再生装置におけるメディアプロファイルの読み出し処理を示すフローチャートである。
【図９】ハウスキーピング処理を示すフローチャートである。
【図１０】リムーバブルメディアに記録されるファイルのディレクトリの構成例を示す図である。
【図１１】１０のディレクトリ構成に対応するメディアプロファイルの例を示す図である。
【図１２】１０のディレクトリ構成のリムーバブルメディアに、コンテンツファイルを追加した場合のディレクトリ構成の例を示す図である。
【図１３】コンテンツファイルが追加されたリムーバブルメディアのメディアプロファイルの例を示す図である。
【符号の説明】
【０１４３】
１…カメラ一体型記録再生装置、２…フィールドＰＣ、３…リムーバブルメディア、４…取材用端末装置、５…ネットワーク、６…企画用端末装置、７…編集用端末装置、８…映像プログラム制作支援システム、９…光ディスク、１４…記録制御部、１５…再生制御部、１６…エンコーダ／デコーダ部、２６，２７…ドライブ、２８…カメラ部、３１…データ取り込み部、３２…情報取得部、３３…データ生成部、３４…クリップ生成部、３５…メディアプロファイル更新部、３６…データ記録部、３７…テーブル記録部、４１…クリップ再生部、４２…テープ再生部、４３…メディアプロファイル情報取得部、４４…クリップ情報取得部、５２…ＢＰＡＶディレクトリ、５３…メデイアプロファイル、５８…クリップディレクトリ、６１…クリップサブディレクトリ、７１… クリップインフォメーションファイル、１４６…コンテンツデータ
【図１】
2008090915.tif 000003
【図２】
2008090915.tif 000004
【図３】
2008090915.tif 000005
【図４】
2008090915.tif 000006
【図５】
2008090915.tif 000007
【図６】
2008090915.tif 000008
【図７】
2008090915.tif 000009
【図８】
2008090915.tif 000010
【図９】
2008090915.tif 000011
【図１０】
2008090915.tif 000012
【図１１】
2008090915.tif 000013
【図１２】
2008090915.tif 000014
【図１３】
2008090915.tif 000015
【手続補正書】
【提出日】平成19年11月12日(2007.11.12)
【手続補正１】
【補正対象書類名】特許請求の範囲
【補正対象項目名】全文
【補正方法】変更
【補正の内容】
【特許請求の範囲】
【請求項１】
着脱可能な記録媒体に記録されているコンテンツデータを管理する記録再生装置において、
前記コンテンツデータが記録されるときに、前記コンテンツデータを再生するために必要な再生情報を取得する情報取得手段と、
前記情報取得手段により取得された前記再生情報とともに、前記コンテンツデータを一意的に識別するための識別子が記述され、前記コンテンツデータを個別に管理する第１の管理ファイルを生成する生成手段と、
前記第１の管理ファイルに含まれる前記再生情報と前記コンテンツデータの前記識別子に加え、前記コンテンツデータの所在を示す情報により構成される前記コンテンツデータの管理情報を、前記コンテンツデータを一括管理する第２の管理ファイルに登録する登録手段と、
前記記録媒体が当該記録再生装置から取り外されて再度装着されたとき又は前記記録再生装置の電源が投入されたときに、前記記録媒体に記録されている前記第２の管理ファイルの管理情報を読み出す読出し手段と、
前記読出し手段により読み出された前記第２の管理ファイルの管理情報が展開されるメモリと、
前記メモリに展開された前記第２の管理ファイルの管理情報と、前記記録媒体に記録されているコンテンツデータを比較する比較手段と、
前記比較手段による比較の結果、前記記録媒体に記録されている前記第２の管理ファイルの管理情報と前記コンテンツデータが一致しないときは、前記メモリに展開されている前記第２の管理ファイルの管理情報を最新の状態に更新する更新手段と、
を備えることを特徴とする記録再生装置。
【請求項２】
前記比較手段は、前記記録再生装置に装着された前記記録媒体の最終更新者情報が当該記録再生装置である場合、前記比較処理を行わない
ことを特徴とする請求項１に記載の記録再生装置。
【請求項３】
前記比較手段による比較の結果、前記メモリに展開された第２の管理ファイルの管理情報に、前記記録媒体に記録されているコンテンツデータの情報が記述されていない場合、前記更新手段は当該コンテンツデータの情報を前記第２の管理ファイルの管理情報に記述する
ことを特徴とする請求項２に記載の記録再生装置。
【請求項４】
前記比較手段による比較の結果、前記メモリに展開された第２の管理ファイルの管理情報に、前記記録媒体に存在しないコンテンツデータの情報が記述されている場合、前記更新手段は前記第２の管理ファイルの管理情報から当該コンテンツデータの情報を削除する
ことを特徴とする請求項２に記載の記録再生装置。
【請求項５】
前記比較手段は、前記記録媒体のファイルシステムのルートディレクトリの下位層に位置しコンテンツデータディレクトリを下位層に備えるディレクトリの直下、あるいは、前記コンテンツデータディレクトリを下位層に備える前記ディレクトリの下位層に設けられたコンテンツディレクトリ下に配置されているコンテンツデータと、前記メモリに展開された前記第２の管理ファイルの管理情報とを比較する
ことを特徴とする請求項２に記載の記録再生装置。
【請求項６】
前記更新手段によって前記メモリに展開されている第２の管理ファイルの管理情報が更新された後、更新された第２の管理ファイルの管理情報を前記記録媒体に記録する記録手段を備える
ことを特徴とする請求項２に記載の記録再生装置。
【請求項７】
コンテンツデータを再生するために必要な再生情報とともに、前記コンテンツデータを一意的に識別するための識別子が記述され、前記コンテンツデータを個別に管理する第１の管理ファイルと、
前記第１の管理ファイルに含まれる前記再生情報と前記コンテンツデータの前記識別子に加え、前記コンテンツデータの所在を示す情報により構成される前記コンテンツデータの管理情報を含み、前記コンテンツデータを一括管理する第２の管理ファイル
を利用して、着脱可能な記録媒体に記録されているコンテンツデータを管理するコンテンツ管理方法において、
前記記録媒体が当該記録再生装置から取り外されて再度装着されたとき又は前記記録再生装置の電源が投入されたときに、前記記録媒体に記録されている前記第２の管理ファイルの管理情報を読み出す読出しステップと、
前記読出しステップの処理により読み出された前記第２の管理ファイルの管理情報をメモリに展開する展開ステップと、
前記メモリに展開された前記第２の管理ファイルの管理情報と、前記記録媒体に記録されているコンテンツデータを比較する比較ステップと、
前記比較ステップによる比較の結果、前記記録媒体に記録されている前記第２の管理ファイルの管理情報と前記コンテンツデータが一致しないときは、前記メモリに展開されている前記第２の管理ファイルの管理情報を最新の状態に更新する更新ステップと、
を有することを特徴とするコンテンツ管理方法。
【手続補正２】
【補正対象書類名】明細書
【補正対象項目名】００１３
【補正方法】変更
【補正の内容】
【００１３】
上記課題を解決するため、本発明は、コンテンツデータを再生するために必要な再生情報とともに、前記コンテンツデータを一意的に識別するための識別子が記述され、コンテンツデータを個別に管理する第１の管理ファイルと、前記第１の管理ファイルに含まれる前記再生情報とコンテンツデータの識別子に加え、コンテンツデータの所在を示す情報により構成されるコンテンツデータの管理情報とを含み、コンテンツデータを一括管理する第２の管理ファイルを利用して、着脱可能な記録媒体に記録されているコンテンツデータを管理する場合に、記録媒体が当該記録再生装置から取り外されて再度装着されたとき又は前記記録再生装置の電源が投入されたときに、記録媒体に記録されている第２の管理ファイルの管理情報を読み出し、その読み出された第２の管理ファイルの管理情報をメモリに展開する。そして、メモリに展開された第２の管理ファイルの管理情報と、記録媒体に記録されているコンテンツデータを比較する。その比較の結果、記録媒体に記録されている第２の管理ファイルの管理情報とコンテンツデータが一致しないときは、メモリに展開されている第２の管理ファイルの管理情報を最新の状態に更新する。
【手続補正３】
【補正対象書類名】明細書
【補正対象項目名】００１９
【補正方法】変更
【補正の内容】
【００１９】
企画用端末装置６は、例えば、パーソナルコンピュータ等の情報処理装置およびその周辺装置等により構成され、映像プログラムの企画が行われる企画構成部署等に設けられる。この企画構成部署は、映像プログラムの制作全体を統括する部署であり、制作する映像プログラムの企画および構想を行って、映像プログラムのシナリオ（筋書き）を作成するとともに、後述する取材部署および編集部署等の他部署に制作作業内容を指示する部署である。企画用端末装置６は、例えば、映像プログラムのシナリオに対応する制作指示情報等を含む、電子ファイル形式の構成表メタデータを映像プログラム毎に作成する等の処理を行う。企画用端末装置６は、生成した構成表メタデータを、ネットワーク５を介して取材用端末装置４等に供給する。これにより、企画構成部署は、取材部署等に対して、取材または撮影すべき場面や内容の指示を行う。
【手続補正４】
【補正対象書類名】明細書
【補正対象項目名】００３３
【補正方法】変更
【補正の内容】
【００３３】
さらに、フィールドＰＣ２は、ユーザである取材部署担当者の入力に基づいて、取材・撮影状況に関する情報である撮影状況情報を生成し、生成した撮影状況情報を構成表メタデータ内の該当欄に追加する。この撮影状況情報は、例えば、クリップごとや取材場所ごとに多様な観点で記載されたテキストデータ等であり、後段の編集処理時に有用となる情報である。このように、フィールドＰＣ２は、撮影状況情報を書き込むことにより、構成表メタデータを編集する。また、フィールドＰＣ２は、撮影状況情報をメタデータとしてカメラ一体型記録再生装置１に供給し、カメラ一体型記録再生装置１において得られた画像データや音声データに付加させる。
【手続補正５】
【補正対象書類名】明細書
【補正対象項目名】００７３
【補正方法】変更
【補正の内容】
【００７３】
クリップ情報取得部４４は、クリップ再生部４１又はテープ再生部４２の制御のもと、リムーバブルメディア３からドライブ２７を介して、対応するクリップのクリップインフォメーションファイルを読み出し、ＲＡＭ１３に展開する。また、クリップ情報取得部４４は、ＲＡＭ１３のクリップインフォメーションファイルから対応するクリップを再生するための情報を取得し、クリップ再生部４１又はテープ再生部４２に出力する。
【手続補正６】
【補正対象書類名】明細書
【補正対象項目名】００８６
【補正方法】変更
【補正の内容】
【００８６】
なお、クリップメタデータファイル７３は、汎用性を持たせるためにＸＭＬ（ｅＸｔｅｎｓｉｂｌｅ  Ｍａｒｋｕｐ  Ｌａｎｇｕａｇｅ）形式で記述されているが、フレームメタデータファイル７４は、再生処理の処理時間や処理に必要な負荷を軽減させるために、ＸＭＬ形式のファイルをコンパイルしたＢＩＭ形式のファイルとしている。